(57)【特許請求の範囲】
【請求項１】
運転室内に配設され、空調装置から供給された冷温風を導いて前記運転室の前角部で立ち上がる空調用ダクトの鉛直部上に取り付けられる筐体と、この筐体の周面に穿設され、冷温風が横方向に吹出し可能な吹出し口と、この吹出し口の内部に冷温風を所望の方向に吹き出させるための少なくとも水平方向の回動軸の回りに回動可能な導風板とを有した建設機械の冷温風吹出し装置において、前記吹出し口は前記筐体の上下方向に複数配設され、それぞれの前記吹出し口から吹き出す冷温風の吹出し方向を独立して上下方向と左右方向に設定できるようにしたことを特徴とする建設機械の冷温風吹出し装置。
【請求項２】
筐体の周面は円錐形または上窄まりの筒状体で構成されたことを特徴とする請求項１記載の建設機械の冷温風吹出し装置。
【請求項３】
筐体は上下方向に積装され、互いに水平方向に摺動回転し得る複数の小筐体の集まりから成り、これらの各小筐体に少なくとも１つの吹出し口が穿設されていることを特徴とする請求項１記載の建設機械の冷温風吹出し装置。
【請求項４】
導風板は吹出し口毎に複数枚水平方向の回動軸の回りに回動可能に配置され、これらの導風板は互いを連結する連結部材により連動するようにしたことを特徴とする請求項１記載の建設機械の冷温風吹出し装置。
【請求項５】
下流に位置する吹出し口の上流側に冷温風の流量を調整するための絞りを介在させたことを特徴とする請求項１記載の建設機械の冷温風吹出し装置。
【請求項６】
少なくとも１つの吹出し口は筐体の周面の少なくとも一部を成す上向きの傾斜面に穿設されたことを特徴とする請求項１記載の建設機械の冷温風吹出し装置。
【発明の詳細な説明】
【０００１】
本発明は油圧ショベル等の建設機械の運転室内の前角部で立ち上がるように設けられた空調用ダクトの鉛直部上に取り付けられる空調装置の冷温風吹出し装置に関する。
【０００２】
【従来の技術】
油圧ショベル等の建設機械では雨天や強風、降雪等の厳しい気象環境の下においても建設作業を遂行できるようにするために、運転室は四方および天井が硝子板や鋼板等により囲繞された密閉状態となっている。また、真夏の炎天下での建設作業では密閉状態の運転室内はかなりの高温になるため、建設機械を操作する運転者は厳しい条件下での労働を強いられることになり、厳しい暑さのため、場合によっては脱水症状を起こすこともある。そこで、例えば特開平８−１７５１５６号公報には運転席の後方の床上に空調装置を配置し、この空調装置から３つのダクトを引き出して、一つは運転席の後上方に、もう一つは運転席の足元に、他の一つは運転席の前側方にそれぞれ冷気の吹出し口が開口した油圧ショベルの空調用ダクトの発明が開示されている。
【０００３】
そして、運転席の前側方に開口する吹出し口は上窄まりの略円錐形の吹出し部の一側面が切り欠かれた形状を成していて、上記吹出し部が上流側の鉛直方向に延設された鉛直部上に回転自在に支持されることにより、上記吹出し口は水平方向に任意の向きに向くことができるようになっている。また、やや斜め上向きに開口する吹出し口の内側には複数の導風板が連結杆により平行に連結されると共にそれらに係合する撮みが操作されることにより、上向きから下向きまで連続的に連動して導風板の向きが調整され、これにより冷風の吹き出し方向を上下の所望の向きに設定できるようになっている。
【０００４】
【発明が解決しようとする課題】
作業機を搭載した油圧ショベル等の建設機械においては、作業機の先端部に設けられて土砂の積み込みを行うバケット等の作業状況や地面、作業員の作業位置等をつぶさに視認しながら建設作業を遂行できるように、運転室の前面を覆うガラス窓はできるだけ広く、通常は前面全面を覆うように設けられている。従って、夏場に運転室の前方から日が射す場合は斜め上方から前面ガラス窓内に射し込むため、強い陽射しは主に運転者の胸部から足元にかけて当たることになる。夏場の強い陽射しが射す下で建設作業を開始する場合は、運転者は空調装置の設定温度を低めにすると共に風量を最大に設定し、暫く作業して涼しくなった時点で、設定温度と設定風量を適当な値に設定し直す場合が多い。室内温度や風量が自動制御される空調装置の場合はそれらの値が自動的に制御される。
【０００５】
上述の従来技術では吹出し部を適宜回動させて吹出し口の撮みを調整して吹出し口から吹き出す冷風の向きを上下左右所望の向きに設定できるようになっているので、運転席の後上方や足元に設けられた吹出し口からの冷風のみでは十分な清涼間が得られない場合、運転者は吹出し部の吹出し口の向きを通常は顔面または胸部に向くように設定して作業を行う。この場合には直接冷風が吹き付ける運転者の顔面または胸部は十分涼しく感じる程冷やされるが、冷風が直接当たらず、回り込んだ風が間接的にしか当たらない大腿部、腰等の下半身は射し込む陽射しに晒されて輻射熱で温まり、運転者にはあまり快適感が得られず、運転室の温度が寒く感じる程低下して始めて快適感が得られる。
【０００６】
また、運転室内の温度が安定した状態に移行した後でも間接的にしか冷気を受けない下半身は暑く感じ易くなっているので、運転者は空調装置の冷房温度を低めに設定し勝ちになり、運転室内の温度を必要以上に下げてしまうことが多い。このようなことを避けるために、運転者が吹出し口の撮みを調整して冷風の向きを下半身側に向けると、顔面等の上半身の温度が低下せず、快適感が得られないばかりでなく、腹部を冷やし過ぎて気分が悪くなることもある。このことは夏期の冷房環境での作業時に限らず、冬季等の寒冷気候時の暖房環境での作業時にも似たような状況が生じる。
【０００７】
さらに、梅雨時等の湿度が高い時や冬季等の外気温が低い時に、前面ガラス窓に露が付いて曇ってしまうことがあり、この前面ガラス窓の曇りを解消するために、運転者が吹出し部を前面ガラス窓側に向けて冷気または暖気を吹き付けることがあるが、この間は運転者側には冷気または暖気が間接的にしか当たらないため、快適感が得られない。また、作業の進行の都合で運転者が運転室の側方の出入口扉を開放させた状態で、建設機械の周囲で作業する作業員と打ち合わせつつ作業を進めなければならないことがあるが、このような場合にも出入口から入り込む暖気や寒気を遮断するために吹出し部を出入口側に向ける必要があるため、運転者には空調気流が当たらないという不具合が生じる。
【０００８】
このように、従来技術においては吹出し口から吹き出した冷暖気の吹き出し方向を所望の向きに設定できるようになっているため、吹出し口からの冷暖気の吹出し方向を適宜設定することにより、冷暖房下の運転者の作業環境の快適性をそれなりに満足させることができるものの、運転者の全身を快適温度に保ったり、運転者に冷暖気を吹き付けながら、同時に他方向に冷暖気を吹き付けることができないため、特に、酷暑時や酷寒時あるいは冷暖房を多目的に使用する場合等の冷暖房下の作業環境の快適性において必ずしも満足できるものではなかった。
【０００９】
本発明は従来技術におけるかかる不具合を解消すべく為されたものであり、冷暖房下の運転者の作業環境の快適性および冷暖房の多目的使用に関する欲求を十分満たすことができる建設機械の冷温風吹出し装置を提供することを目的とする。
【００１０】
【課題を解決するための手段】
本発明は上記課題を解決するために、吹出し口は空調用ダクトの鉛直部上に取り付けられる筐体の上下方向に複数配設され、それぞれの吹出し口から吹き出す冷温風の吹出し方向を独立して上下方向と左右方向に設定できるようにしたものであり、好ましくは、筐体は上下方向に積装され、互いに水平方向に摺動回転し得る複数の小筐体の集まりから成り、これらの各小筐体に少なくとも１つの吹出し口が穿設され、その周面は円錐形または上窄まりの筒状体で構成され、下流に位置する吹出し口の上流側に冷温風の流量を調整するための絞りを介在させると共に、少なくとも１つの吹出し口は筐体の周面の少なくとも一部を成す上向きの傾斜面に穿設されるようにし、導風板は吹出し口毎に複数枚水平方向の回動軸の回りに回動可能に配置され、これらの導風板は互いを連結する連結部材により連動するようにしたものである。
【００１１】
【発明の実施の形態】
以下、図面を参照して本発明を具体化した実施例を詳細に説明する。図１２、図１３および図１４は本発明の第１の実施例に係る油圧ショベルの運転室の空調装置を仮想的に透視した斜視図、同じく、その側面図および平面図である。これらの図において、１は空調装置から送り出された冷暖気を運転室の前部に吹き出す吹出し部、７は運転者が装置を操縦する運転室、８は運転室７の後部に設置された空調装置、１０は運転者が座る運転席、１１，１２，１３は空調装置８から供給された冷暖気を運転室７のそれぞれ右端床板上から前方に、中央床板上から前下方に、および右側面に沿って後上方に導く空調用ダクト、１１ａは運転室７の右端床板上から前方に導出された空調用ダクト１１が前右角で鉛直方向に立ち上がって吹出し部１を支持する空調用ダクト１１の鉛直部、１１ｂは鉛直部１１ａの頂部に開口して吹出し部１の底部と連結される開口孔、７１，７２，７３，７４，７５はそれぞれ運転室７の前面をほぼ覆うガラス板で構成された前窓、床を覆う床板、左右の側面、運転席１０の後方を覆う背面、天井および側窓である。
【００１２】
運転室７の運転席１０から見て左側面には図示しない出入口扉が設けられており、運転室７の前右角に向かって導出された空調用ダクト１１の配設位置は出入口扉を開けて出入りする運転者の乗降を妨げない位置とされている。空調用ダクト１１の先端部に設けられた吹出し部１は冷暖気を直接、運転者、前窓７１等に吹き付けるためのものであり、空調用ダクト１２，１３は空調装置８からの冷暖気を間接的にそれぞれ運転室７の下方から前側に、および後方から天井７４側に吹き出すためのものである。空調用ダクト１１の鉛直部１１ａおよびその上端部に取り付けられた吹出し部１は前窓７１と右側面７３との間の角部下部に配置されているので、運転者の視野を全く妨げることがなく、また、上下方向に摺動開閉可能になっている前窓７１の開閉動作を妨げないようになっている。
【００１３】
図１は本発明の第１の実施例に係る空調用ダクト１１の上端部の吹出し部１の平面図（ａ）、正面図（ｂ）および平面図（ａ）中の切断線Ａ−Ａに沿った縦断面図（ｃ）である。これらの図において、２，３は両者で吹出し部１を構成し、それぞれ円錐形周面を有した略円筒形状を成し、後述する冷暖気の吹出し口が形成される周面が傾斜面とされた上吹出し筒と下吹出し筒、２０，３０はそれぞれ上吹出し筒２および下吹出し筒３の周面のやや斜め上方を向く傾斜面に穿設された冷暖気の吹出し口、２１1 〜２１3 ，３１1 〜３１3 はそれぞれ上吹出し筒２および下吹出し筒３の内部の吹出し口２０，３０に臨む位置に上下方向に回動自在に３枚ずつ取り付けられた導風板である。
【００１４】
また、２２，３２はそれぞれ上吹出し筒２および下吹出し筒３の内部の吹出し口２０，３０の両側に対を成して設けられ、上吹出し筒２および下吹出し筒３の３枚の導風板２１1 〜２１3 ，３１1 〜３１3 を回動自在に支持するブラケット、２３，３３は３枚の導風板２１1 〜２１3 ，３１1 〜３１3 の後端部にそれぞれ等間隔を有して回動自在に取り付けられることにより、それぞれ３枚の導風板２１1 〜２１3 ，３１1 〜３１3 を平行状態に保つと共にそれらの回動時に互いに連動させる連結杆、２４，３４は３枚の導風板２１1 〜２１3 ，３１1 〜３１3 の中の真ん中の導風板２１2 ，３１2 の前縁部にそれぞれ固定され、運転者が吹出し口２０，３０からの冷暖気の上下の向きを変えるために、導風板２１1 〜２１3 ，３１1 〜３１3 を上下方向に回動させる時に操作される風向撮みである。
【００１５】
図２および図３はそれぞれ図１の平面図中の切断線Ａ−Ａに沿った縦断面図（ｃ）の上吹出し筒２と下吹出し筒３の嵌合部および下吹出し筒３と鉛直部１１の嵌合部を示す部分拡大図である。これらの図において、２ａは上吹出し筒２の下端部に、下吹出し筒３の下端部の最大径と同一径の円環状を成して横方向に突出形成された外鍔部、２ｂは上吹出し筒２の外鍔部２ａの上部に上面が略水平面を成して上記傾斜面から前方に迫り出すように形成された棚部、３ａは下吹出し筒３の上端部に上吹出し筒２の外鍔部の内径よりやや小さい径の円盤状を成して横方向に突出形成された内鍔部、３ｂは内鍔部３ａの周端部の下側が径方向に後退して若干径小の円筒面として形成された段部、３ｃは下吹出し筒３の下端部に横方向に突出形成された外鍔部２ａとほぼ同径の円盤状の外鍔部、３ｄは外鍔部３ｃの内側に鉛直部１１ａの開口孔１１ｂと同径の円周面を成して形成された段部である。
【００１６】
また、４は上吹出し筒２の外鍔部２ａの内周面に接着固定され、下吹出し筒３の内鍔部３ａに圧接する、耐熱性で熱変形を起こさない弾性に富んだ環帯状を成す合成樹脂製の係止環、５は下吹出し筒３の下端部内周面に形成された段部３ｄに接着固定され、鉛直部１１ａの開口孔１１ｂと同径の外周面を有した、耐熱性で熱変形を起こさない弾性に富んだ環帯状を成す合成樹脂製の嵌合環、４１は係止環４の下部が縦方向に屈曲形成されることにより、断面形状が内周側に突出した楔状を成した鉤爪部、４２は鉤爪部４１の弾性変形を容易にするために、係止環４の下部に等間隔に穿設されて鉤爪部４１を周方向に等分割する区画溝、５１は嵌合環５の下部が縦方向に屈曲形成されることにより、断面形状が外周側に突出した楔状を成した鉤爪部、５２は鉤爪部５１の弾性変形を容易にするために、嵌合環５の下部に等間隔に穿設されて鉤爪部５１を周方向に等分割する区画溝である。
【００１７】
吹出し部１の組立ておよび吹出し部１の空調用ダクト１１の鉛直部１１ａへの組付けに際しては、それぞれ上吹出し筒２を下吹出し筒３に対してある程度強い力で押し込むことにより、下吹出し筒３の内鍔部３ｂが係止環４の鉤爪部４１の突起を外側に押し付けながら嵌まり込み、鉤爪部４１を通過すると一気に上吹出し筒２の外鍔部２ａ内側の棚部２ｂの裏側の当接位置まで到達して、鉤爪部４１の突起により上吹出し筒２が水平方向に回転自在に係止される。また、下吹出し筒３を空調用ダクト１１の鉛直部１１ａに対してある程度強い力で押し込むと、下吹出し筒３の下端部の外鍔部３ｃ内周面に接着された嵌合環５が鉤爪部５１の突起を内側に押し込む弾性変形を受けながら空調用ダクト１１の鉛直部１１ａの開口孔１１ｂに嵌まり込み、鉤爪部５１の突起により下吹出し筒３が回転自在に嵌着する。
【００１８】
こうして、吹出し部１の組立てと吹出し部１の空調用ダクト１１の鉛直部１１ａへの組付けが完了すると、上吹出し筒２の外鍔部２ａ内周面に接着された係止環４の鉤爪部４１の突起が下吹出し筒３の段部３ｂに嵌入して内鍔部３ｂを銜え込み、また、嵌合環５の鉤爪部５１ｂの突起が空調用ダクト１１の鉛直部１１ａの開口孔１１ｂの下縁から外方に突出して係止されるから、上吹出し筒２は下吹出し筒３に対して、また、下吹出し筒３は空調用ダクト１１の鉛直部１１ａに対してそれぞれしっかりと、しかし、回転自在に嵌着し、容易に脱落することはない。
【００１９】
上述のように、上吹出し筒２は下吹出し筒３に対して回転自在に、また、下吹出し筒３は空調用ダクト１１の鉛直部１１ａに対して回転自在に取り付けられているから、吹出し部１の上吹出し筒２と下吹出し筒３の二つの吹出し口２０，３０を所望の２水平方向にそれぞれ向けて回動させると共に、風向撮み２４，３４を操作して内部の導風板２１1 〜２１3 ，３１1 〜３１3 の上下方向向きをそれぞれ所望の向きに向けて冷暖気を吹き出させることができる。なお、風向撮み２４，３４を操作することにより、真ん中の導風板２１2 ，３１2 がブラケット２２，３２の回動支点を中心に回動し、これらの動きを後端部に回動自在に取り付けられた連結杆２３，３３を介して上下の導風板２１1 ，２１3 ，３１1 ，３１3 に伝達して連動させるようになっている。
【００２０】
例えば、真夏の強い日差しが前方斜め上から照りつける時は、空調装置８を作動させなければ、密閉された運転室７内の気温が急上昇し、灼熱状態になる虞がある。そこで、運転者は空調装置８を作動させ、固定の空調用ダクト１２，１３から吹き出す冷気で運転室７内の空気の温度を低下させると共に、冷気直射用の上吹出し筒２と下吹出し筒３を共に自分の方に向けて上吹出し筒２と下吹出し筒３の風向撮み２４，３４を操作し、例えば、上吹出し筒２の吹出し口２０からは顔面方向に、下吹出し筒３の吹出し口３０からは膝元方向にそれぞれ冷気が吹き付けるように調整することにより、特に日差しが直射する箇所を集中的に冷やすことができるから、運転者は運転室７内の空調状態に関する完全な満足感を得ることができる。
【００２１】
また、梅雨時等の湿気の多い時や冬季等の気温が低い時には、運転室７の前窓７１等が冷やされて内面に露ができて曇ってしまうことがある。このような時には、運転者は例えば、上吹出し筒２の吹出し口２０を自分の方に向けて涼みながら、下吹出し筒３の吹出し口３０を前窓７１側等に向けて曇り取りを行うことができる。出入口扉を開放して作業を行う場合も同様である。空調用ダクト１１から吹出し部１に流れ込む冷風ｗは二つの上吹出し筒２の吹出し口２０と下吹出し筒３の吹出し口３０とに分散して外部に吹き出すことになるが、それらの風量比は上吹出し筒２と下吹出し筒３の周面を成す円錐形状の窄み具合や吹出し口２０と吹出し口３０との口径比あるいは上吹出し筒２の上部形状等により決まるから、それらの条件を適宜設定して決めれば良い。実験の結果によれば、上下の吹出し風量の比は、上が６、下が４の割合に設定すると、運転者の快適感が最も良いことが得られている。
【００２２】
本実施例で上吹出し筒２と下吹出し筒３の吹出し口２０，３０側の周面を傾斜面としたのは上述の風量比を適当に設定するためと、導風板２１1 〜２１3 ，３１1 〜３１3 を上向きにした時に、斜め上方向に吹き出す冷風が円滑に流出するようにするためである。また、上吹出し筒２と下吹出し筒３の連結部に、横方向に突出した円盤状の外鍔部２ａと、これに嵌合する内鍔部３ａとが設けられた構成としたのは、吹出し部１の外観の見栄えを良くするためと、上吹出し筒２と下吹出し筒３とが連結部を回転自在とするために、両者の摺動部を円形形状にする必要があるためと、上吹出し筒２が下吹出し筒３に対して回転自在となっていることを認識し易くするためである。
【００２３】
また、本実施例では上吹出し筒２と下吹出し筒３および下吹出し筒３と空調用ダクト１１の鉛直部１１ａとの連結形態をそれぞれ係止環４および嵌合環５の鉤爪部４１，５１の突起部の弾性変形を利用した係止構造としたが、これは単に一例を示したものであり、同様の機能を果たすものであれば、何のような構造のものであっても良い。さらに、上吹出し筒２と下吹出し筒３の輪郭形状を円錐形周面を有した略円筒形状としたが、両者および下吹出し筒３と空調用ダクト１１の鉛直部１１ａとの連結摺動部が円形形状となっていれば任意の形状にすることができる。
【００２４】
図４は本発明の第２の実施例に係る空調用ダクト１１の上端部の吹出し部１の平面図（ａ）、正面図（ｂ）および平面図（ａ）中の切断線Ｂ−Ｂに沿った縦断面図（ｃ）、図５は上吹出し筒２の正面図（ａ）および底面図（ｂ）、図６は下吹出し筒３の平面図（ａ）および正面図（ｂ）である。２５は上吹出し筒２の底面、２６は上吹出し筒２の底面２５の周縁部近傍の３箇所に図５（ｂ）に示すように、１００°〜１４０°の非等角度を成して突設され、先端が外周側に屈曲した平坦部とされた３つの脚部、３５は下吹出し筒３の上面に、上吹出し筒２の３つの脚部２６の基体部と摺接する内径を有して穿設された嵌合孔、３５ａは嵌合孔３５の内周部の３箇所の、上吹出し筒２の３つの脚部２６が対向する位置に穿設された３つの切欠部である。これらの図において、第１の実施例と同一または同一と見做せる個所には同一の符号を付し、その重複する説明を省略する。
【００２５】
吹出し部１を組み立てる際には、上吹出し筒２を下吹出し筒３の上部に保持して、底面２５に突設された３つの脚部２６の配設位置と、下吹出し筒３の嵌合孔３５の内周部に穿設された３つの切欠部３５ａの配設位置とが丁度合うように角度合わせをして、下吹出し筒３の上部に押し込むと、上吹出し筒２の脚部２６が下吹出し筒３の切欠部３５ａ内に嵌入し、その後、上吹出し筒２を所定角度回転させると、脚部２６の平坦部上面と下吹出し筒３の上部下面とが摺接し、その摩擦力で回転位置が保持される。従って、上吹出し筒２を下吹出し筒３に対して相対回転させても、上吹出し筒２の脚部２６配設位置と下吹出し筒３の切欠部３５ａの配設位置とが丁度合致しない限り、上吹出し筒２が下吹出し筒３から抜け落ちることはない。このように、本実施例では上吹出し筒２と下吹出し筒３との連結部の構成が簡単で容易に作成でき、吹出し部１の組み立ておよび分解作業を極めて容易に行うことができる。
【００２６】
本実施例では下吹出し筒３はほぼ円筒形状を成しており、従って、その吹出し口３０は傾斜面ではなく、鉛直面に形成されている。このように、下吹出し筒３はほぼ円筒形状を成しているので、その内部の径を上吹出し筒２に較べて大きく採ることができるから、下吹出し筒３の吹出し口３０の上吹出し筒２の吹出し口２０に対する風量比を相対的に大きくすることができる。また、下吹出し筒３の吹出し口３０を鉛直周面に形成したので、例えば、温風を運転者の足元に集中的に吹き出させようとする場合に温風を効果的に吹き出させることができる。上述のように、上吹出し筒２と下吹出し筒３の形状や吹出し口２０と吹出し口３０との口径比等を適宜調整することにより、吹出し口２０と吹出し口３０とから吹き出す冷温風の風量比を容易に設定することができる。
【００２７】
図７は吹出し口２０と吹出し口３０とから吹き出す冷温風の風量比を容易に設定することができるようにした本発明の第３の実施例に係る空調用ダクト１１の上端部の吹出し部１の平面図（ａ）、正面図（ｂ）および平面図（ａ）中の切断線Ｃ−Ｃに沿った縦断面図（ｃ）、図８は絞り板の平面図（ａ）およびその切断線Ｘ−Ｘに沿った縦断面図（ｂ）である。これらの図において、６は上吹出し筒２と下吹出し筒３との間に介装され、その開口面積に応じて下吹出し筒３から上吹出し筒２への冷温風の流量を制限する絞り板、６ａは絞り板６の外周部の３箇所の、上吹出し筒２の３つの脚部２６が対向する位置に穿設された３つの切欠部、６ｂは絞り板６の中央に同心状に穿設された風量調整用の絞り孔である。
本実施例が第２の実施例と大きく異なる点は、上吹出し筒２と下吹出し筒３との間に絞り板６を介装した点にある。吹出し部１を組み立てる際には、上吹出し筒２を逆さにして底面２５を上向きにし、絞り板６をその上部に保持して、上吹出し筒２の底面２５に起立した３つの脚部２６の配設位置と、絞り板６の外周部に穿設された３つの切欠部６ａの配設位置とが丁度合うように角度合わせをして絞り板６を上吹出し筒２の脚部２６に嵌合させた後、前実施例で述べた方法と同じ方法で、上吹出し筒２を下吹出し筒３に結合させる。絞り孔６ｂが異なる複数の絞り板６を予め用意しておけば、上吹出し筒２と下吹出し筒３の形状等に変更を加えなくても、所望の風量比に合った絞り板６を選択して吹出し部１に組み込むだけで所望の風量比調整を行うことができる。
【００２８】
図９は本発明の第４の実施例に係る空調用ダクト１１の上端部の吹出し部１の平面図（ａ）、正面図（ｂ）および平面図（ａ）中の切断線Ｄ−Ｄに沿った縦断面図（ｃ）である。同図（ｃ）において、２ａは上吹出し筒２のなだらかな湾曲面を成す後部曲面部である。本実施例が第３の実施例と異なる点は上吹出し筒２がこの後上部に曲面部を有した点にある。本実施例では上吹出し筒２の後部がなだらかな湾曲面を成す後曲面部２ａとなっているので、空調用ダクト１１の鉛直部１１ａ下方から上方に向かって吹き上がる冷温風の流れをこの後曲面部２ａで、前方に吹き出す冷温風の流れに円滑に変更することができる。
【００２９】
図１０は本発明の第５の実施例に係る空調用ダクト１１の上端部の吹出し部１の平面図（ａ）、正面図（ｂ）および平面図（ａ）中の切断線Ｅ−Ｅに沿った縦断面図（ｃ）である。これらの図において、９は吹出し部１を単一の筐体で構成する吹出し筒、１５は吹出し筒９の内部の上下方向のほぼ真ん中前側に、その前縁が吹出し筒９内周面に一体固定された半円形の支持棚、１６は一対のブラケット２２を左右両側でそれらの上端部と下端部とで支持すると共に、水平方向に回動自在に支持された箱形ケース、１７，１８は箱形ケース１６の上面と下面との中央部にそれぞれ突設され、吹出し筒９の天井面と支持棚１５上面とに回動自在に支持された支軸である。吹出し筒９は第１の実施例の下吹出し筒３と同様に、吹出し筒９の下部内周面に接着固定された嵌合環５の鉤爪部５１が空調用ダクト１１の鉛直部１１ａの開口孔１１ｂに嵌まり込み、鉤爪部５１の突起により水平方向に回転自在に嵌着している。
【００３０】
本実施例では上下の吹出し口２０，３０は共に単一の吹出し筒９の前面に穿設されているから、吹出し口２０，３０から吹き出した冷温風の水平方向向きは本来的には吹出し口２０，３０が向く方向となっているが、箱形ケース１６が支軸１７，１８によって水平方向に回動自在となっているので、箱形ケース１６を通って吹出し口２０から吹き出す冷温風は箱形ケース１６の左右方向の向きによってある程度風向きが左右方向に変えられる。本実施例では箱形ケース１６に縦方向に配列された導風板が取り付けられていないが、縦方向に配列された導風板を取り付ければ、箱形ケース１６の左右方向の向きによる吹出し口２０から吹き出す冷温風の風向きの変化はより顕著になる。このように、本実施例でも吹出し筒９の回転位置と箱形ケース１６の回動位置および導風板２１1 〜２１3 ，３１1〜３１3 の上下方向向きを適宜調整することにより、上下の吹出し口２０，３０から吹き出す冷温風の風向きをそれぞれ左右、上下の何れの方向にも変えることができる。
【００３１】
図１１は本発明の第６の実施例に係る空調用ダクト１１の上端部の吹出し部１の模式図である。同図において、２′は上吹出し筒２と下吹出し筒３との間に介装された、ほぼ上吹出し筒２と相似形の中吹出し筒である。同図から明らかなように、本実施例では吹出し筒を三段重ね構成とした点に特徴がある。かかる構成とすることにより、左右、上下の何れの方向にも風向きを変えることができる冷温風の吹出し口を一つ増やして３つにすることができるから、より多くの場所を集中的に冷暖房することができる。勿論、重ねる吹出し筒の数をさらに増やしても構わない。
【００３２】
図１５および図１６はそれぞれ本発明の第７の実施例に係る油圧ショベルの運転室の空調装置を仮想的に透視した側面図および平面図である。これらの図において、１′は運転室７の吹出し部１とは左右対称の位置の前左角に配置された、吹出し部１と同形の吹出し部、１１ａ′は空調用ダクト１１の立上り部から分離されて運転室７の前下縁を経て前左角で鉛直方向に立ち上がる鉛直部１１ａと左右対称の位置に配設された鉛直部である。このように、吹出し部１′を運転室７の吹出し部１とは左右対称位置の前左角にも配置したから、吹出し部の数が倍増すると共に、運転者に冷温風を異なる方向から吹き付けて左右均一に冷暖房することができる。
【００３３】
【発明の効果】
以上説明したように請求項１記載の発明によれば、吹出し口は筐体の上下方向に複数配設され、それぞれの吹出し口から吹き出す冷温風の吹出し方向を独立して上下方向と左右方向に設定できるようにしたので、上下の各吹出し口から吹き出す冷温風はそれぞれ所望の上下方向と左右方向の吹出し方向に設定できるから、冷暖房下の運転者の作業環境の快適性および冷暖房の多目的使用に関する欲求を十分満たすことができる。
請求項２記載の発明によれば、筐体の周面を円錐形または上窄まりの筒状体で構成したので、筐体の窄まり形状を適宜設定することにより各吹出し口から吹き出す冷温風の風量比を所望の値に設定できる。
【００３４】
請求項３記載の発明によれば、筐体を上下方向に積装され、互いに水平方向に摺動回転し得る複数の小筐体の集まりで構成し、これらの各小筐体に少なくとも１つの吹出し口が穿設されるようにしたので、簡単な構成で冷温風の左右方向の吹出し方向を所望の方向に変えることができる。
請求項４記載の発明によれば、導風板は吹出し口毎に複数枚水平方向の回動軸の回りに回動可能に配置されると共に互いを連結する連結部材により連動するようにしたので、吹出し口から吹き出す冷温風は整流となって流出することができる。
【００３５】
請求項５記載の発明によれば、下流に位置する吹出し口の上流側に冷温風の流量を調整するための絞りを介在させたので、絞りの上流側と下流側との冷温風の流量の比を容易に調整することができる。
請求項６記載の発明によれば、少なくとも１つの吹出し口は筐体の周面の少なくとも一部を成す上向きの傾斜面に穿設されるようにしたので、吹出し口から上向きに吹き出す冷温風を円滑に流出させることができる。
【図面の簡単な説明】
【図１】本発明の第１の実施例に係る空調用ダクトの吹出し部の平面図（ａ）、正面図（ｂ）および切断線Ａ−Ａに沿った縦断面図（ｃ）
【図２】図１の縦断面図（ｃ）の上吹出し筒と下吹出し筒の嵌合部を示す部分拡大図
【図３】同じく、下吹出し筒と鉛直部の嵌合部を示す部分拡大図
【図４】本発明の第２の実施例に係る吹出し部の平面図（ａ）、正面図（ｂ）および切断線Ｂ−Ｂに沿った縦断面図（ｃ）
【図５】同じく、上吹出し筒の正面図（ａ）および底面図（ｂ）
【図６】同じく、下吹出し筒の平面図（ａ）および正面図（ｂ）
【図７】本発明の第３の実施例に係る吹出し部の平面図（ａ）、正面図（ｂ）および切断線Ｃ−Ｃに沿った縦断面図（ｃ）
【図８】同じく、絞り板の平面図（ａ）およびその切断線Ｘ−Ｘに沿った縦断面図（ｂ）
【図９】本発明の第４の実施例に係る吹出し部の平面図（ａ）、正面図（ｂ）および切断線Ｄ−Ｄに沿った縦断面図（ｃ）
【図１０】本発明の第５の実施例に係る吹出し部の平面図（ａ）、正面図（ｂ）および切断線Ｅ−Ｅに沿った縦断面図（ｃ）
【図１１】本発明の第６の実施例に係る吹出し部の模式図
【図１２】本発明の第１の実施例に係る油圧ショベルの運転室の空調装置を透視した斜視図
【図１３】同じく、その側面図
【図１４】同じく、その平面図
【図１５】本発明の第７の実施例に係る油圧ショベルの運転室の空調装置を透視した側面図
【図１６】同じく、その平面図
【符号の説明】
１，１′  吹出し部
２  上吹出し筒
２′  中吹出し筒
２ａ  後曲面部
３  下吹出し筒
４  係止環
５  嵌合環
６  絞り板
６ｂ  絞り孔
７  運転室
８  空調装置
９  吹出し筒
１０  運転席
１１，１２，１３  空調用ダクト
１１ａ  鉛直部
１１ｂ  開口孔
２０，３０  吹出し口
２１1 〜２１3 ，３１1 〜３１3   導風板
２３，３３  連結杆
２４，３４  風向撮み
４１，５１  鉤爪部
４２，５２  区画溝
２６  脚部
７１  前窓
【図１】
0004022365.tif 000002
【図２】
0004022365.tif 000003
【図３】
0004022365.tif 000004
【図４】
0004022365.tif 000005
【図５】
0004022365.tif 000006
【図６】
0004022365.tif 000007
【図７】
0004022365.tif 000008
【図８】
0004022365.tif 000009
【図９】
0004022365.tif 000010
【図１０】
0004022365.tif 000011
【図１１】
0004022365.tif 000012
【図１２】
0004022365.tif 000013
【図１３】
0004022365.tif 000014
【図１４】
0004022365.tif 000015
【図１５】
0004022365.tif 000016
【図１６】
0004022365.tif 000017